(57)【要約】【課題】  磁石保護カバーのヨークに対する機械的固定を、低コストで容易に行える磁石発電機用回転子を得る。【解決手段】  ヨーク１の筒部１ａの内周に永久磁石３を固定し、筒部１ａ内で永久磁石３の表面を筒状の磁石保護カバー４で覆う。ヨーク１における筒部１ａの開口端１ｂ側の内周には、永久磁石３の端部に隣接させて溝６を周方向に設ける。筒部１ａの開口端１ｂ側に位置させる磁石保護カバー４の端部外周の鍔部４ｂには、筒部１ａの内径より大きな外径の係止部４ｄを突設する。係止部４ｄを筒部１ａの内周の溝６に嵌めて、磁石保護カバー４をヨーク１に持させる。【選択図】    図１
2006158061.tif 000002
【特許請求の範囲】
【請求項１】
筒部の開口端の反対側が底部で閉じられ、前記底部にボス部が前記筒部内に同軸状に突設されているヨークを備え、前記ヨークの前記筒部の内周に永久磁石が固定され、前記筒部内で前記永久磁石の表面が筒状の磁石保護カバーで覆われ、前記磁石保護カバーが前記ヨークに支持されている磁石発電機用回転子において、
前記ヨークにおける前記筒部の開口端側の内周には前記永久磁石の端部に隣接させるようにして溝が周方向に設けられ、前記筒部の開口端側に位置させる前記磁石保護カバーの端部外周の鍔部には前記筒部の内径より大きな外径の係止部が突設され、前記係止部が前記筒部の内周の前記溝に嵌められて前記磁石保護カバーが前記ヨークに支持されていることを特徴とする磁石発電機用回転子。
【請求項２】
前記筒部の内周の前記溝は周方向に連続して設けられていることを特徴とする請求項１に記載の磁石発電機用回転子。
【発明の詳細な説明】
【技術分野】
【０００１】
本発明は、磁石発電機用回転子に関するものである。
【背景技術】
【０００２】
従来の磁石発電機用回転子の構成を、図４乃至図６を参照して説明する。ここで、図４はヨークの中に磁石保護カバーを嵌める前の状態を示す縦断面図、図５はヨークの内周の永久磁石に接着剤を塗布して磁石保護カバーを嵌める過程を示す要部縦断面図、図６は従来の磁石発電機用回転子の縦断面図である。
【０００３】
従来の磁石発電機用回転子は、図４及び図６に示すように、筒部１ａの開口端１ｂの反対側が底部１ｃで閉じられ、底部１ｃにボス部１ｄが筒部１ａ内に同軸状に突設されているヨーク１を備えている。ボス部１ｄは底部１ｃにリベット２で固定されている。ヨーク１の筒部１ａの内周には、該筒部１ａの内側に突出した位置決め部１ｅで位置決めされて永久磁石３が固定されている。筒部１ａ内で永久磁石３の表面は、磁石保護カバー４で覆われている。磁石保護カバー４は、カバー筒部４ａの表面に接する外径のカバー筒部４ａと、該カバー筒部４ａの軸線方向の一端で永久磁石３の端面に当接される鍔部４ｂと、該カバー筒部４ａの軸線方向の他端でヨーク１の底部１ｃに当接される底部当接部４ｃとを有する構造になっている。鍔部４ｂの外径は、ヨーク１の筒部１ａの内径にほぼ等しくなっている。このような磁石保護カバー４は、強磁性材以外のステンレススチールの如き金属で形成されている。
【０００４】
次に、このような従来の磁石発電機用回転子の製造方法について説明する。図４に示すように、ヨーク１に磁石保護カバー４を嵌める前に、ヨーク１の筒部１ａの内周に永久磁石３を接着剤で固定する。
【０００５】
次に、図５に示すように、ヨーク１の開口端１ｂ側の永久磁石３の端面と、該永久磁石３の内向き表面に接着剤５を塗布する。
【０００６】
かかる状態で、図４及び図５に矢印で示す方向に磁石保護カバー４をヨーク１に嵌め、図６に示すように磁石保護カバー４の鍔部４ｂをヨーク１の開口端１ｂ側の永久磁石３の端面に接着剤５で接着し、磁石保護カバー４の底部当接部４ｃをヨーク１の底部１ｃに当接し、磁石保護カバー４のカバー筒部４ａを永久磁石３の内向き表面に接着剤５で接着する。
【特許文献１】特開２０００−３７０５４号（図１２）
【発明の開示】
【発明が解決しようとする課題】
【０００７】
しかしながら、このような構造の磁石発電機用回転子では、磁石保護カバー４の固定を接着剤５で行っているので、接着剤５の接着力が低下した場合には磁石保護カバー４がヨーク１の開口端１ｂ側に外れる恐れがあった。
【０００８】
磁石保護カバー４のヨーク１に対する機械的固定を、ヨーク１の開口端１ｂ側で該ヨーク１の内周を加締め、塑性変形させて磁石保護カバー４の鍔部４ｂを押さえる構造のものもあるが、このようにすると手数が非常にかかり、コスト高になる問題点がある。
【０００９】
本発明の目的は、磁石保護カバーのヨークに対する機械的固定を、低コストで容易に行える磁石発電機用回転子を提供することにある。
【課題を解決するための手段】
【００１０】
本発明は、筒部の開口端の反対側が底部で閉じられ、前記底部にボス部が前記筒部内に同軸状に突設されているヨークを備え、前記ヨークの前記筒部の内周に永久磁石が固定され、前記筒部内で前記永久磁石の表面が筒状の磁石保護カバーで覆われ、前記磁石保護カバーが前記ヨークに支持されている磁石発電機用回転子を対象とする。
【００１１】
本発明に係る磁石発電機用回転子では、前記ヨークにおける前記筒部の開口端側の内周には前記永久磁石の端部に隣接させるようにして溝が周方向に設けられ、前記筒部の開口端側に位置させる前記磁石保護カバーの端部外周の鍔部には前記筒部の内径より大きな外径の係止部が突設され、前記係止部が前記筒部の内周の前記溝に嵌められて前記磁石保護カバーが前記ヨークに支持されていることを特徴とする。
【００１２】
この場合、前記筒部の内周の前記溝は、周方向に連続して設けられていることが好ましい。
【発明の効果】
【００１３】
本発明の磁石発電機用回転子では、ヨークにおける筒部の開口端側の内周に永久磁石の端部に隣接させて溝を周方向に設け、筒部の開口端側に位置させる磁石保護カバーの端部外周の鍔部に筒部の内径より大きな外径の係止部を突設し、該係止部を筒部の内周の溝に嵌めて磁石保護カバーをヨークに支持させているので、この構造では単にヨークの筒部の内周に周方向に溝を設けるだけでよく、磁石保護カバーのヨークに対する機械的固定を低コストで容易に行うことができる。
【００１４】
この場合、筒部の内周の溝を周方向に連続して設けると、溝の形成を簡単に行うことができる。
【発明を実施するための最良の形態】
【００１５】
本発明に係る磁石発電機用回転子を実施するための最良の形態を図１乃至図３を参照して詳細に説明する。ここで、図１はヨークの中に磁石保護カバーを嵌める前の状態を示す縦断面図、図２（Ａ）（Ｂ）はヨークの内周の永久磁石に接着剤を塗布して磁石保護カバーを嵌める過程を示す要部縦断面図、図３は本例の磁石発電機用回転子の縦断面図である。なお、前述した図４乃至図６と対応する部分には、同一符号を付けて示している。
【００１６】
本例の磁石発電機用回転子においては、図１に示すように、ヨーク１における筒部１ａの開口端１ｂ側の内周に、永久磁石３の端部に隣接させるようにして溝６が周方向に連続して全周に設けられている。ヨーク１の筒部１ａの開口端１ｂ側に位置させる磁石保護カバー４の端部外周の鍔部４ｂには、筒部１ａの内径より大きな外径の係止部４ｄが突設されている。この鍔部４ｂの係止部４ｄが筒部１ａの内周の溝６に嵌められて、磁石保護カバー４はヨーク１に支持されている。
【００１７】
次に、このような従来の磁石発電機用回転子の製造方法について説明する。図１に示すように、ヨーク１における筒部１ａの開口端１ｂ側の内周に、永久磁石３の端部に隣接させるようにして溝６を周方向に連続して全周に設ける。筒部１ａの内周には、溝６に端部を隣接させるようにして永久磁石３を接着剤で固定しておく。
【００１８】
次に、図２（Ａ）に示すように、永久磁石３の内向き表面に接着剤５を塗布する。
【００１９】
かかる状態で、図１及び図２（Ａ）に矢印で示す方向に磁石保護カバー４をヨーク１に嵌め、図２（Ｂ）及び図６に示すように磁石保護カバー４の底部当接部４ｃをヨーク１の底部１ｃに当接し、磁石保護カバー４の鍔部４ｂの先端に設けられた係止部４ｄを溝６に嵌め込み、磁石保護カバー４をヨーク１に固定する。
【００２０】
磁石保護カバー４は、通常、０．２ｍｍ〜０．５ｍｍ程度の薄い厚みのステンレススチールで形成されているので、鍔部４ｂの先に係止部４ｄが突設されていても、該係止部４ｄがヨーク１の筒部１ａ内面とせりながら磁石保護カバー４の挿入が可能である。
【００２１】
かくして、磁石保護カバー４のカバー筒部４ａが接着剤５で永久磁石３の内向き表面に固定され、磁石保護カバー４の鍔部４ｂの先端に設けられた係止部４ｄが溝６に嵌め込まれて機械的に固定されている。
【００２２】
本例の磁石発電機用回転子では、ヨーク１における筒部１ａの開口端１ｂ側の内周に永久磁石３の端部に隣接させて溝６を周方向に連続させて設け、筒部１ａの開口端１ｂ側に位置させる磁石保護カバー４の端部外周の鍔部４ｂに筒部１ａの内径より大きな外径の係止部４ｄを突設し、該係止部４ｄを筒部１ａの内周の溝６に嵌めて磁石保護カバー４をヨーク１に支持させているので、この構造では単にヨーク１の筒部１ａの内周に周方向に溝６を設けるだけでよく、磁石保護カバー４のヨーク１に対する機械的固定を低コストで容易に行うことができる。
【００２３】
本例のように、筒部１ａの内周の溝６を周方向に連続して設けると、溝６の形成を簡単に行うことができる。
【００２４】
なお、筒部１ａの内周の溝６は、周方向に間欠的に設けることもできる。これに合わせて磁石保護カバー４の鍔部４ｂの外周の係止部４ｄは、周方向に間欠的に設ける必要がある。この場合には、筒部１ａの内周の間欠的な溝６の形成に前記例より手間がかかり、磁石保護カバー４の鍔部４ｂの外周に間欠的に係止部４ｄを設けるのに前記例より手間がかかり、間欠的な係止部４ｄを間欠的な溝６に嵌めるのに前記例より手間がかかるが、磁石保護カバー４をヨーク１に機械的に固定することができる。
【図面の簡単な説明】
【００２５】
【図１】本発明に係る磁石発電機用回転子でヨークの中に磁石保護カバーを嵌める前の状態を示す縦断面図である。
【図２】（Ａ）（Ｂ）はヨークの内周の永久磁石に接着剤を塗布して磁石保護カバーを嵌める過程を示す要部縦断面図である。
【図３】本例の磁石発電機用回転子の縦断面図である。
【図４】従来の磁石発電機用回転子でヨークの中に磁石保護カバーを嵌める前の状態を示す縦断面図である。
【図５】従来例でヨークの内周の永久磁石に接着剤を塗布して磁石保護カバーを嵌める過程を示す要部縦断面図である。
【図６】従来の磁石発電機用回転子の縦断面図である。
【符号の説明】
【００２６】
１  ヨーク
１ａ  筒部
１ｂ  開口端
１ｃ  底部
１ｄ  ボス部
１ｅ  位置決め部
２  リベット
３  永久磁石
４  磁石保護カバー
４ａ  カバー筒部
４ｂ  鍔部
４ｃ  底部当接部
５  接着剤
６  溝
【図１】
2006158061.tif 000003
【図２】
2006158061.tif 000004
【図３】
2006158061.tif 000005
【図４】
2006158061.tif 000006
【図５】
2006158061.tif 000007
【図６】
2006158061.tif 000008